(57)【要約】【課題】Ｃ型スリーブの収容部に複数の電線を収容した後であっても、さらに追加の別の電線を電気的且つ機械的に、容易且つ確実に接続でき、圧縮ミスを防ぐことができるＣ型スリーブを提供する。【解決手段】Ｃ型スリーブ１０は、複数の電線としての例えば低圧側配線３の導体部３Ｍと引き込み線４の導体部４Ｍを並行状態で収容する収容部２１を有し、圧縮変形されることで低圧側配線３の導体部３Ｍと引き込み線４の導体部４Ｍを電気的且つ機械的に固定する電線接続用のＣ型スリーブであり、Ｃ型スリーブ１０の軸方向Ｘと交差する端面１３、１４には、低圧側配線３の導体部３Ｍと引き込み線４の導体部４Ｍとは別の電線である接地線５の導体部５Ｍを接続する突起３０が設けられている。【選択図】図３
2020009687.tif 000002
【特許請求の範囲】
【請求項１】
複数の電線を並行状態で収容する収容部を有し、圧縮変形されることで前記複数の電線を電気的且つ機械的に固定する電線接続用のＣ型スリーブであって、
前記Ｃ型スリーブの軸方向と交差する端面には、前記電線とは別の電線を接続する突起が設けられていることを特徴とするＣ型スリーブ。
【請求項２】
前記突起は、前記Ｃ型スリーブの前記軸方向と交差する一方の前記端面と他方の前記端面の一方又は両方に設けられていることを特徴とする請求項１に記載のＣ型スリーブ。
【請求項３】
前記突起は、中実部材であり、前記突起と前記別の電線とは、接続用のスリーブを介して電気的に接続されることを特徴とする請求項１又は２に記載のＣ型スリーブ。
【請求項４】
前記突起は、前記別の電線を挿入する中空部を有する中空部材であることを特徴とする請求項１又は２に記載のＣ型スリーブ。
【請求項５】
前記突起は、前記端面に形成された穴内に導電性の線材を挿入するとともに該線材の長手方向の一部を前記端面から外部に突出させることにより形成されていることを特徴とする請求項１又は２に記載のＣ型スリーブ。
【請求項６】
前記別の電線は、接地線であることを特徴とする請求項１乃至５の何れか１項に記載のＣ型スリーブ。
【発明の詳細な説明】
【技術分野】
【０００１】
本発明は、複数の電線を並行状態で収容した状態で圧縮変形されることで、複数の電線を電気的且つ機械的に固定する電線接続用のＣ型スリーブに関する。
【背景技術】
【０００２】
電線接続用のＣ型スリーブは、複数の電線を収容した状態で圧縮工具により圧縮変形されることにより、複数の電線を電気的且つ機械的に固定する。Ｃ型スリーブは電線から過大な張力が加わらない部分に使用される部品である。Ｃ型スリーブは複数の電線として、例えば柱上の変圧器から引き出されている低圧側電線、低電圧を工場や住宅等の需要家の配電盤につながる引き込み線等を電気的に接続し、且つ機械的に固定する。
【０００３】
特許文献１には、電線接続用のＣ型スリーブが開示されている。このＣ型スリーブは、大径の幹線と小径の２つの支線とを軸方向に並列に収容する。小径の２つの支線は、Ｃ型スリーブに形成された２つの凹溝に収容できるようになっている。Ｃ型スリーブでは、幹線と２つの支線とが収容された状態でＣ型スリーブを圧縮することで、大径の幹線と小径の２つの支線とを同時に圧着する。ここで、幹線と支線は例えば複数の金属線が撚り合わされることにより形成された撚り線である。
【先行技術文献】
【特許文献】
【０００４】
【特許文献１】特開２００９−４８７７９公報
【発明の概要】
【発明が解決しようとする課題】
【０００５】
特許文献１に記載のＣ型スリーブでは、大径の幹線と小径の２つの支線とを収容したＣ型スリーブを圧縮変形させることで、大径の幹線と小径の２つの支線とを同時に圧着する。しかし、合計３本の太さの異なる幹線と支線を同時に圧着しようとすると、３本の幹線と支線がＣ型スリーブから逃げようとして、互いに接触しながら軸方向にずれることがある。
【０００６】
幹線と支線が互いに接触しながらずれると、撚り線である３本の幹線と支線は、撚りの一部がほどけてしまうおそれがある。幹線と支線の撚りの一部がほどけてしまうと、通電時に規定された電流容量を賄えずに幹線と支線から熱を発生する虞がある。撚り線である幹線と支線を構成する金属線が１本でも浮いてしまうと、電気的な特性が低下するので、Ｃ型スリーブの圧縮ミスとなる。このため、Ｃ型スリーブを用いた複数本の幹線と支線の固定には、細心の注意を払う必要がある。
【０００７】
また、Ｃ型スリーブに設けられた電線を収容する空間には大きな余裕がないため、Ｃ型スリーブ内に複数本の電線を挿入した後に、さらに別の電線、例えば接地線を追加的に挿入する作業が大変面倒である。
【０００８】
本発明は、上記に鑑みてなされたもので、その目的とするところは、Ｃ型スリーブの収容部に複数の電線を収容した後であっても、さらに追加の別の電線を電気的且つ機械的に、容易且つ確実に接続でき、圧縮ミスを防ぐことができるＣ型スリーブを提供することにある。
【課題を解決するための手段】
【０００９】
上記課題を解消するために、本発明のＣ型スリーブは、複数の電線を並行状態で収容する収容部を有し、圧縮変形されることで前記複数の電線を電気的且つ機械的に固定する電線接続用のＣ型スリーブであって、前記Ｃ型スリーブの軸方向と交差する端面には、前記電線とは別の電線を接続する突起が設けられていることを特徴とする。
【発明の効果】
【００１０】
本発明は、Ｃ型スリーブの収容部に複数の電線を収容した後であっても、さらに追加の別の電線を電気的且つ機械的に、容易且つ確実に接続でき、圧縮ミスを防ぐことができるＣ型スリーブを提供することができる。
【図面の簡単な説明】
【００１１】
【図１】本発明の一実施形態に係るＣ型スリーブ１０が設けられる電力設備の一例を示す模式図である。
【図２】本発明の第１実施形態に係るＣ型スリーブ１０の外観形状を示す斜視図である。
【図３】図２に示すＣ型スリーブ１０をＧ方向から見た側面図である。
【図４】突起３０と接地線５の接続構造例を示す図である。
【図５】本発明の第２実施形態に係るＣ型スリーブ１０Ａ及びその接続構造例を示す図である。
【図６】本発明の第３実施形態に係るＣ型スリーブ１０Ｂを示す斜視図である。
【図７】（ａ）（ｂ）は、本発明の第４実施形態に係るＣ型スリーブ１０Ｃ及びその接続構造例を示す図である。
【図８】本発明の第５実施形態に係るＣ型スリーブ１０Ｄ及びその接続構造例を示す図である。
【発明を実施するための形態】
【００１２】
以下、図面を用いて、本発明の実施形態を説明する。
[第１実施形態]
図１は、本発明の一実施形態に係るＣ型スリーブ１０が設けられる電力設備の一例を示す模式図である。
図１に示す電力設備の例では、変圧器１が電柱上に配置されている。例えば６６００Ｖの高電圧が、高圧側配線２を通じて変圧器１に供給される。変圧器１は、この高電圧を低電圧、例えば２００Ｖに変圧する。この低電圧は、低圧側配線３を通じて変圧器１から出力され、引き込み線４（低圧線、ＣＶケーブルともいう）を通じて工場や住宅等の需要家６に供給される。
【００１３】
図示する低圧側配線３、引き込み線４、及び接地線５は、夫々導体からなる導体部３Ｍ、４Ｍ、５Ｍを有しており、電線接続用のＣ型スリーブ１０（１０Ａ〜１０Ｄ）は、導体部３Ｍと導体部４Ｍとを束ねた状態で圧接させて電気的且つ機械的に固定する。導体部５Ｍは、後述する突起３０に対して別途電気的機械的に固定される。
本例に示す導体部３Ｍ、４Ｍ、５Ｍは、何れも撚り線である。本例に示す低圧側配線３、引き込み線４、及び接地線５は被覆電線であり、絶縁被覆を剥離して露出させた電線部分である導体部３Ｍ、４Ｍ、５ＭをＣ型スリーブ１０によって接続する。なお、低圧側配線３、引き込み線４、接地線５の全部又は何れかは、導体部３Ｍ、４Ｍ、５Ｍが露出した裸電線でもよい。
【００１４】
接地線５は、例えば５．５ｍｍ２のビニル絶縁電線である。接地線５は、Ｃ型スリーブ１０の接地と、変圧器１の接地とに共用されている。Ｃ型スリーブ１０は、圧縮工具により圧縮変形されることで、低圧側配線３の導体部３Ｍと、引き込み線４の導体部４Ｍとが互いに位置ずれしないように保持している。これにより、Ｃ型スリーブ１０は、低圧側配線３の導体部３Ｍと、引き込み線４の導体部４Ｍとの間の電気的且つ機械的な固定を確実にする。なお、本発明の各実施形態に係るＣ型スリーブ１０は、接地線ガイド付きＣ型スリーブとも呼ぶことができる。
【００１５】
図２は、本発明の第１実施形態に係るＣ型スリーブ１０の外観形状を示す斜視図である。図３は、図２に示すＣ型スリーブ１０をＧ方向から見た側面図である。
図２と図３に示すＣ型スリーブ１０は、図１に示す低圧側配線３の導体部３Ｍと、引き込み線４の導体部４Ｍと、接地線５の導体部５Ｍとが互いに位置ずれしないように、電気的且つ機械的に固定するために用いられる。Ｃ型スリーブ１０は、導電性を有し、且つ圧縮変形可能な金属、例えば銅やアルミニウムにより作製されている。
【００１６】
図２と図３に示すＣ型スリーブ１０は、概略Ｃ字型の横断面形状を有している。ここでＣ型スリーブ１０における横断面とは、Ｃ型スリーブ１０によって低圧側配線３の導体部３Ｍと、引き込み線４の４Ｍとを並行な姿勢に束ねて接続したときに、各導体部の長手方向に沿う方向（Ｃ型スリーブ１０の軸方向Ｘ）に対して直交する方向における断面のことである。Ｃ型スリーブ１０は、外面１１と、内面１２と、第１端面１３（軸方向一端面）と、第２端面１４（軸方向他端面）とを有する。外面１１は、周方向の中間部に形成された平坦部分１５と、周方向の各端部に形成された湾曲部１６、１７を有する。内面１２は、周方向の中間部に形成された平坦部分１８と、周方向の各端部に形成された湾曲部１９、２０を有する。第１端面１３と第２端面１４は、例えば平坦面である。また、Ｃ型スリーブ１０は、その内部に、複数の電線（本例では導体部３Ｍと導体部４Ｍ）を並行状態で収容する収容部２１を有している。収容部２１は、内面１２によって形成される中空の空間である。
【００１７】
Ｃ型スリーブ１０は、収容部２１内に導体部３Ｍと導体部４Ｍを収容した状態で圧縮工具により圧縮変形（縮径）されることにより、導体部３Ｍと導体部４Ｍとが互いに位置ずれしないように、これらを電気的且つ機械的に固定する。即ち、内面１２の平坦部分１８と湾曲部１９、２０は、圧縮変形により導体部３Ｍと導体部４Ｍとに密着して、これらを位置ずれしないように保持する。
【００１８】
Ｃ型スリーブ１０は、外部から収容部２１内に電線を挿入する電線挿入用のスリット（開放部）３３を有する。スリット３３は、第１端面１３から第２端面１４に至るまで、軸方向Ｘ全長に沿って形成されている。この電線挿入用のスリット３３は、低圧側配線３の導体部３Ｍと、引き込み線４の導体部４Ｍと、を軸方向Ｘに沿った姿勢で収容部２１内に挿入できるようになっている。Ｃ型スリーブ１０は、図示しない工具を用いて圧縮して変形（縮径）させることで、並行状態で収容部２１内に収容された導体部３Ｍと導体部４Ｍを、電気的且つ機械的に固定する。これにより、Ｃ型スリーブ１０は導体部３Ｍと導体部４Ｍを、互いにずれが生じないようにしっかりと固定することができる。
【００１９】
図２と図３に示すＣ型スリーブ１０の第１端面１３と第２端面１４とは平行（並行）であり、Ｃ型スリーブ１０の軸方向Ｘと交差（例えば直交）している。第１端面１３と第２端面１４の少なくとも一方には、突起３０が設けられている。この突起３０は、低圧側配線３と引き込み線４とは異なる別の電線である接地線５の導体部５Ｍを電気的且つ機械的に接続するための電気接続端子である。
【００２０】
突起３０は、Ｃ型スリーブ１０を例えば鋳造により製造する際に一体的に設けることもできるし、Ｃ型スリーブ１０を製造した後に、溶接等により取り付けることもできる。突起３０は、Ｃ型スリーブ１０の軸方向Ｘと平行になるように（軸方向Ｘに沿って伸びるように）、第１端面１３と第２端面１４より互いに離反する方向に突出して設けられている。突起３０は、例えば断面円型を有する中実部材である。しかし、突起３０は、断面円型以外の断面矩形等の他の形状であっても良い。
【００２１】
図４は、突起３０と接地線５の接続構造例を示す図である。図４に示すように、この突起３０と接地線５の導体部５Ｍとは、接続用のスリーブ３１を介して電気的且つ機械的に接続される。接続用のスリーブ３１は、突起３０と同様に導電性を有し、圧縮時に変形可能な金属、例えば銅やアルミニウムにより作製されている。
【００２２】
接続用のスリーブ３１は、例えば軸方向両端が開口した円筒部材であり、中空部分３２を有する。接続用のスリーブ３１の中空部分３２には、一方側（軸方向一端開口）から突起３０が挿入され、他方側（軸方向他端開口）から接地線５の導体部５Ｍが挿入される。そして、突起３０と導体部５Ｍが挿入された接続用のスリーブ３１を、工具により圧縮して変形させることで、接続用のスリーブ３１は突起３０と導体部５Ｍに密着（圧着）する。突起３０と接地線５の導体部５Ｍは、接続用のスリーブ３１によって電気的且つ機械的に固定される。
【００２３】
突起３０は、第１端面１３と第２端面１４の両方に設けられていることが好ましい。このようにすることで、接地線５の導体部５ＭがＣ型スリーブ１０に向けて軸方向Ｘの一端側又は他端側の何れの側から伸びる（或いは、導かれる）場合であっても、突起３０を介して導体部５ＭをＣ型スリーブ１０に容易に接続できる。
なお、導体部５Ｍは、低圧側配線３の導体部３Ｍと引き込み線４の導体部４ＭをＣ型スリーブ１０に対して機械的且つ電気的に固定する前に、又は固定した後に、突起３０に対して機械的且つ電気的に固定される。
【００２４】
このように、本実施形態に係るＣ型スリーブ１０によれば、低圧側配線３の導体部３Ｍと引き込み線４の導体部４Ｍが収容された収容部２１に接地線５の導体部５Ｍを追加的に挿入する必要がない。従って、接地線５の導体部５Ｍの挿入時に、接地線５の導体部５Ｍの撚りが解けることを防止できる。また、Ｃ型スリーブ１０に対して接地線５を容易に接続できる。
【００２５】
＜第１実施形態の効果＞
Ｃ型スリーブ１０の収容部２１内に、複数の電線である低圧側配線３の導体部３Ｍと引き込み線４の導体部４Ｍを収容した後であっても、Ｃ型スリーブ１０の突起３０に対して、さらに追加の別の電線である接地線５の導体部５Ｍを容易に且つ確実に、電気的且つ機械的に接続することができる。このため、複数の電線を電気的且つ機械的に接続する作業が、作業現場において容易且つ確実に行え、圧縮ミスを防ぐことができる。
【００２６】
次に、本発明の第２実施形態から第５実施形態を、図面を参照しながら順に説明する。各実施形態の構成要素が、上述した第１実施形態の構成要素と実質的に同じである場合には、同じ符号を記して、その説明を省略する。
【００２７】
[第２実施形態]
図５は、本発明の第２実施形態に係るＣ型スリーブ１０Ａ及びその接続構造例を示す側面図である。
図５に示すように、第２実施形態のＣ型スリーブ１０Ａの第１端面１３と第２端面１４の少なくとも一方には、突起４０が設けられている。この突起４０は、図３に示す低圧側配線３の導体部３Ｍと引き込み線４の導体部４Ｍとは異なる別の電線である接地線５を、図５に示すように電気的且つ機械的に接続、固定する電気接続端子である。
【００２８】
突起４０は、Ｃ型スリーブ１０Ａを例えば鋳造により製造する際に一体的に設けることもできるし、Ｃ型スリーブ１０Ａを製造した後に、溶接等により取り付けることもできる。突起４０は、Ｃ型スリーブ１０Ａの軸方向Ｘと平行になるように、第１端面１３と第２端面１４より突出して設けられている。なお、突起４０の突出方向は図示する方向に限られない。本例に示す突起４０は、中空部材である。
【００２９】
図５に示すように、突起４０は、例えば中空の円筒部材であり、接地線５の導体部５Ｍを挿入して電気的且つ機械的に固定するための中空部分４１を有する。突起４０は、導電性を有し、圧縮時に変形可能な金属、例えば銅やアルミニウムにより作製されている。
そして、接地線５の導体部５Ｍが挿入された状態で突起４０を工具により圧縮変形させることで、突起４０と接地線５の導体部５Ｍとを機械的に接触させて、電気的に確実に接続して固定することができる。
【００３０】
＜第２実施形態の効果＞
Ｃ型スリーブ１０Ａの収容部２１内に、複数の電線である図３に示す低圧側配線３の導体部３Ｍと引き込み線４の導体部４Ｍを収容した後であっても、Ｃ型スリーブ１０Ａの突起４０に対して、さらに追加の別の電線である接地線５の導体部５Ｍを容易且つ確実に電気的且つ機械的に接続することができる。このため、複数の電線を電気的且つ機械的に接続する作業が、作業現場において容易且つ確実に行え、圧縮ミスを防ぐことができる。
【００３１】
[第３実施形態]
図６は、本発明の第３実施形態に係るＣ型スリーブ１０Ｂを示す斜視図である。
図６に示す第３実施形態のＣ型スリーブ１０Ｂにおいて、内面１２は、その中間部を膨出させた凸部５０を有している。この凸部５０は、内面１２の周方向中間部である平坦部分１８において、軸方向Ｘに沿って連続して形成されている。この凸部５０は、軸方向Ｘに沿って通し穴５１を有する。この通し穴５１は、第１端面１３から第２端面１４に亘って貫通形成されている。
【００３２】
通し穴５１には、通し穴５１の軸方向長よりも長い導体である線材５２が挿通されている。線材５２は、軸方向Ｘに沿った通し穴５１に通されることで、線材５２の一端部である突起５２Ａが第１端面１３よりも突出し、線材５２の他端部である突起５２Ｂが第２端面１４よりも突出している。
なお、Ｃ型スリーブ１０Ｂの第１端面１３と第２端面１４に有底の穴を形成し、各穴内に夫々線材５２を挿入することにより、第１端面１３と第２端面１４から突出した線材の長手方向の一部を突起５２Ａと突起５２Ｂとしてもよい。
【００３３】
＜第３実施形態の効果＞
Ｃ型スリーブ１０Ｂの収容部２１内に、複数の電線である図３に示す低圧側配線３の導体部３Ｍと引き込み線４の導体部４Ｍを収容した後であっても、Ｃ型スリーブ１０Ｂの突起５２Ａ、５２Ｂに対して、さらに追加の別の電線である接地線５の導体部５Ｍを容易且つ確実に、電気的且つ機械的に接続することができる。このため、複数の電線を電気的且つ機械的に接続する作業が、作業現場において容易且つ確実に行え、圧縮ミスを防ぐことができる。
【００３４】
[第４実施形態]
図７は、本発明の第４実施形態に係るＣ型スリーブ１０Ｃ及びその接続構造例を示す図である。図７（ａ）はＣ型スリーブ１０Ｃを湾曲部１６側（図２参照）から観察した図であり、（ｂ）はＣ型スリーブ１０Ｃを平坦部分１８側（図２参照）から観察した図である。
図７に示す第４実施形態のＣ型スリーブ１０Ｃの第１端面１３と第２端面１４の少なくとも一方には、突起６０が設けられている。この突起６０は、図３に示す低圧側配線３の導体部３Ｍと引き込み線４の導体部４Ｍとは別の電線である接地線５の導体部５Ｍを、電気的且つ機械的に接続するための電気接続端子である。
【００３５】
突起６０は、Ｃ型スリーブ１０Ｃを製造する際に一体的に設けることもできるし、Ｃ型スリーブ１０Ｃを製造した後に、溶接等により取り付けることもできる。突起６０は、Ｃ型スリーブ１０の軸方向Ｘと平行になるように、第１端面１３と第２端面１４より突出して設けられている。
【００３６】
突起６０は、例えば軸方向Ｘ、及び図７中紙面に垂直な方向に伸びる面を有する薄板状の部材である。突起６０は、折り曲げる（湾曲又は屈曲させる）ことにより、接地線５の導体部５Ｍを電気的且つ機械的に固定する。突起６０は、導電性を有し、変形可能な金属、例えば銅やアルミニウムにより作られている。そして、突起６０をプライヤ又はペンチ等の工具で折り曲げて、接地線５の導体部５Ｍに巻き付けることにより、突起６０と導体部５Ｍとを電気的かつ機械的に確実に接続することができる。
【００３７】
＜第４実施形態の効果＞
Ｃ型スリーブ１０Ｃの収容部２１には、複数の電線である図３に示す低圧側配線３の導体部３Ｍと引き込み線４の導体部４Ｍを収容した後であっても、Ｃ型スリーブ１０Ｃの突起６０に対して、さらに追加の別の電線である接地線５の導体部５Ｍを容易且つ確実に、電気的且つ機械的に接続することができる。このため、複数の電線を電気的且つ機械的に接続する作業が、作業現場において容易且つ確実に行え、圧縮ミスを防ぐことができる。
【００３８】
[第５実施形態]
図８は、本発明の第５実施形態に係るＣ型スリーブ１０Ｄ及びその接続構造例を示す図である。
図８に示す第５実施形態のＣ型スリーブ１０Ｄの第１端面１３と第２端面１４の少なくとも一方には、突起７０が設けられている。この突起７０は、図３に示す低圧側配線３の導体部３Ｍと引き込み線４の導体部４Ｍとは別の電線である接地線５の導体部５Ｍを、電気的且つ機械的に接続するための電気接続端子である。
【００３９】
突起７０は、Ｃ型スリーブ１０Ｄの端面から突出する中空状の円筒部分７１と、円筒部分７１の軸方向先端縁から軸方向Ｘに沿って形成されたスリット７２と、を有する。突起７０の円筒部分７１には、接地線５の導体電線５Ｍを挿入して、工具により円筒部分７１を圧縮変形させることで、突起７０は、接地線５の導体電線５Ｍを、電気的にしかも機械的に確実に接続することができる。突起７０はスリット７２を有するので、円筒部分７１を工具により簡単に圧縮変形させることができ、突起７０に接地線５の導体電線５Ｍを固定できる。
突起７０は、Ｃ型スリーブ１０Ｄを製造する際に一体的に設けることもできるし、Ｃ型スリーブ１０Ｄを製造した後に、溶接等により取り付けることもできる。突起７０は、Ｃ型スリーブ１０の軸方向Ｘと平行になるように、第１端面１３と第２端面１４より突出して設けられている。
【００４０】
＜第５実施形態の効果＞
Ｃ型スリーブ１０Ｄの収容部２１に複数の電線である図３に示す低圧側配線３の導体部３Ｍと引き込み線４の導体部４Ｍを収容した後であっても、Ｃ型スリーブ１０Ｄの突起７０に対して、さらに追加の別の電線である接地線５の導体部５Ｍを挿入し、突起７０を圧縮変形させることができる。この作業だけで、Ｃ型スリーブ１０Ｄは、接地線５の導体部５Ｍを容易にしかも確実に電気的にしかも機械的に接続することができる。このため、複数の電線を電気的にしかも機械的に接続する作業が、作業現場において容易にしかも確実に行え、圧縮作業ミスを防ぐことができる。
【００４１】
[本発明の実施形態の構成と効果のまとめ]
以上説明したように、本発明の各実施形態に示した電線接続用のＣ型スリーブ１０（１０Ａ〜１０Ｄ）は、複数の電線である例えば低圧側配線３の導体部３Ｍと引き込み線４の導体部４Ｍを並行状態で収容する収容部２１を有する。
第１実施態様に係るＣ型スリーブは、圧縮変形されることで低圧側配線３の導体部３Ｍと引き込み線４の導体部４Ｍを電気的且つ機械的に固定する。Ｃ型スリーブ１０（１０Ａから１０Ｄ）の軸方向Ｘと交差する端面１３、１４には、低圧側配線３の導体部３Ｍと引き込み線４の導体部４Ｍとは別の電線としての接地線５の導体部５Ｍを接続するための突起３０（４０、５２Ａ、５２Ｂ、６０、７０）が設けられている。
【００４２】
本態様によれば、Ｃ型スリーブ１０の収容部２１に複数の電線としての低圧側配線３の導体部３Ｍと引き込み線４の導体部４Ｍを収容した後であっても、さらに追加の別の電線としての接地線５の導体部３Ｍを電気的且つ機械的に、容易且つ確実に接続できる。このため、電線の接続作業現場における圧縮ミスを防ぐことができる。
【００４３】
また、第２実施態様において突起３０（４０、５２Ａ、５２Ｂ、６０、７０）は、Ｃ型スリーブの軸方向と交差する一方の端面１３と他方の端面１４の一方又は両方に設けられている。本態様によれば、Ｃ型スリーブを取り付けて別の電線としての接地線５の導体部５Ｍを接続する際に、端面１３から突出した突起３０又は、端面１４から突出した突起３０の少なくとも一方を用いることができる。このため、Ｃ型スリーブ１０が電線に取り付けられる向きに関わらず、電線の接続作業現場において、端面１３、１４のいずれかに設けた突起３０を用いて接地線５の導体部５Ｍを接続することができる。このため、電線の接続作業現場における接続作業が容易に行える。
【００４４】
第３実施態様において突起３０（５２Ａ、５２Ｂ）は、中実部材であり、突起３０（５２Ａ、５２Ｂ）と、別の電線である接地線５の導体部５Ｍとは、接続用のスリーブ３１を介して電気的に接続される。本態様によれば、Ｃ型スリーブと別の電線である接地線５の導体部５Ｍとは、中実の突起３０（５２Ａ、５２Ｂ）とスリーブ３１を用いて容易に電気的且つ機械的に接続することができる。
【００４５】
第４実施態様において突起４０、７０は、別の電線を挿入するための中空部を有する中空部材である。別の電線である接地線５の導体部５Ｍは、突起４０、７０を圧縮することで電気的且つ機械的に接続して固定できる。本態様によれば、Ｃ型スリーブと別の電線である接地線５の導体部５Ｍとは、中空部材の突起４０、７０を用いて容易に電気的且つ機械的に接続することができる。
【００４６】
第５実施態様において突起５２は、軸方向Ｘに沿って形成された穴内に導電性の線材５２を挿通すると共にこの線材５２の長手方向の一部を端面１３、１４から外部に突出させることにより形成されている。本態様によれば、Ｃ型スリーブ１０と別の電線である接地線５の導体部５Ｍとは、突起５２を用いて容易に電気的且つ機械的に接続することができる。
【００４７】
第６実施態様において別の電線は、接地線５の導体部５Ｍである。本態様によれば、接地線５の導体部５Ｍを接続する作業現場において、接地線５は、突起を用いてＣ型スリーブに対して容易に電気的且つ機械的に接続することができる。
【００４８】
以上、本発明の実施形態を説明したが、上記各実施形態は本発明の範囲を限定するものではない。上記各実施形態に示されたＣ型スリーブは、本発明の要旨を逸脱しない範囲で、種々の省略、置き換え、変更等を行える。
図示例では、突起は、Ｃ型スリーブの第１端面１３と第２端面１４の両方に設けられている。しかし、突起は、第１端面１３と第２端面１４の一方だけに設けられていても良い。
図示例では、複数の電線としては、低圧側配線３の導体部３Ｍと引き込み線４の導体部４Ｍを例に挙げており、別の電線としては、接地線５の導体部５Ｍを例に挙げている。しかしこれに限らず、電線の種類は、現場の状況に応じて任意に選定することができる。
【符号の説明】
【００４９】
１…変圧器、２…高圧側配線、３…低圧側配線、３Ｍ…低圧側配線３の導体部（複数の電線の一例）、４…引き込み線、４Ｍ…引き込み線４の導体部（複数の電線の一例）、５…接地線、５Ｍ…接地線５の導体部（別の電線）、１０、１０Ａ〜１０Ｄ…Ｃ型スリーブ、１３…第１端面（一方の端面）、１４…第２端面（他方の端面）、３０…突起、３１…接続用のスリーブ、４０…突起、５２…線材、５２Ａ…突起、５２Ｂ…突起、６０…突起、７０…突起
【図１】
2020009687.tif 000003
【図２】
2020009687.tif 000004
【図３】
2020009687.tif 000005
【図４】
2020009687.tif 000006
【図５】
2020009687.tif 000007
【図６】
2020009687.tif 000008
【図７】
2020009687.tif 000009
【図８】
2020009687.tif 000010